(57)【要約】【課題】  全体の高さを低くして狹いスペースにも設置できるようにする。【解決手段】  複数個のクリーナ部材８を配列させて支持する支持部材７のシャフト部材２８を、上面を開放したＵ溝形状とする。シャフト部材２８には長手方向の所要位置に補強を兼ねた仕切板２９を取り付ける。仕切板２９で仕切られたシャフト部材２８の内側に、複数個のクリーナ部材８の各ガイドカバー２６を上方より嵌合させて、シャフト部材２８の内側を上下方向へ移動できるようにする。更に、上記ガイドカバー２６とシャフト部材２８の底面部３０との間に圧縮ばね２７を介在させて、圧縮ばね２７をシャフト部材２８の内側に収納する。これによりシャフト部材２８とクリーナ部材８のチップ２２先端までの高さを低くできる。【選択図】図１
0003102461.tif 000002
【実用新案登録請求の範囲】
【請求項１】
搬送ベルトの幅方向両側に配置された取付部材と、該両取付部材に保持させた両端部を除くシャフト部材を上記搬送ベルトの幅方向に沿わせて配置した支持部材と、該支持部材のシャフト部材上に下端部のガイドカバーを介し載置させて上記搬送ベルトの幅方向に配列させ且つ各々先端に搬送ベルトの表面に当接させる板状のチップが取り付けてある複数のクリーナ部材とを備え、且つ上記チップの先端を搬送ベルト表面に常時圧接させるようにシャフト部材上でクリーナ部材に弾性部材で付勢力を与えるようにしてあるベルトクリーナ装置において、上記支持部材のシャフト部材を、上面を開放した断面形状凹状のＵ溝形状として、該シャフト部材の内側に上記クリーナ部材のガイドカバーを上下方向へ移動可能に嵌入させ、更に、上記クリーナ部材に付勢力を与える弾性部材を、上記ガイドカバーとシャフト部材内側の底面部との間に介在させてシャフト部材内に収納した構成を有することを特徴とするベルトクリーナ装置。
【請求項２】
シャフト部材の内側に、複数個のクリーナ部材のガイドカバーと干渉しないように仕切板を取り付け、且つ底面部にダスト、水の排出孔を設けた請求項１記載のベルトクリーナ装置。
【考案の詳細な説明】
【技術分野】
【０００１】
本考案は、ベルトコンベヤ等のベルトの如き搬送ベルトの表面に付着した付着物を掻き取ってベルト表面を清掃するために用いるベルトクリーナ装置に関するものである。
【背景技術】
【０００２】
ベルトコンベヤ等に用いられているベルトクリーナ装置としては、従来より種々の型式のものが採用されている。図５及び図６はそのうちの一例を示すもので、ヘッドプーリ２と従動プーリ（図示せず）に無端状の搬送ベルト３を掛け、ヘッドプーリ２を図示しない駆動装置で回転させることにより搬送ベルト３上に載せられた被搬送物を搬送させるようにしてあるベルトコンベヤ１のヘッドプーリ２の下方位置の左右両側部に、ヘッドプーリ２に掛けられた搬送ベルト３の幅寸法よりも広い間隔でサイドフレーム４を設置して、該両サイドフレーム４にそれぞれ固定した取付部材５と、該一対の取付部材５にそれぞれ取り付けられたラバースプリング６と、搬送ベルト３の幅方向に平行に延びるように水平に配置して両端部を上記ラバースプリング６に保持させた支持部材７と、該支持部材７上に長手方向に並べて搬送ベルト３の幅方向に配列されるように取り付けられた複数のクリーナ部材８とからなる構成としてある。
【０００３】
詳述すると、左右一対の取付部材５は、上記サイドフレーム４に溶接又はボルトにより固定された縦方向に延びるガイド面９ａを有する板状の固定基部９と、該固定基部９のガイド面９ａに沿い上下動できる板状の可動基部１０とを有し、上記固定基部９のガイド面９ａの上下位置に設けた上下方向に延びる長孔（図示せず）に、上記可動基部１０の上下位置に取り付けたボルト１１を挿通させてナット１２をそれぞれ螺合させるようにしてあり、固定基部９の下端部より突出させたブラケット１３に調節ねじ１４を取り付け、上記ナット１２を緩め、調節ねじ１４の上端で可動基部１０を上下動させることにより、可動基部１０が上下方向へ移動できるようにしてある。
【０００４】
上記ラバースプリング６は、上記可動基部１０の前面側に押え部材１５で固定させて搬送ベルト３の幅方向に相対向させるようにしたスチール製の四角筒状の外殻材１６と、該外殻材１６の内径寸法よりも小さい外形を有し且つ外殻材１６の内側に４５度の位相をずらして同軸状に配置させた内殻材１７と、外殻材１６の内側と内殻材１７の外側との間の空間部に変形させて嵌入させたゴム弾性体１８とからなる構成としてある。
【０００５】
又、上記支持部材７は、左右の両ラバースプリング６間の距離に対応する長さを有する四角筒状のシャフト部材１９と、該シャフト部材１９の両端に一端を嵌入して他端側をシャフト部材１９の両端より突出させた状態に保持された四角柱状の軸端部材２０とを備え、両端の軸端部材２０をラバースプリング６の内殻材１７に嵌合させることにより、支持部材７の両端部がラバースプリング６に保持され、支持部材７が回動するときにラバースプリング６のゴム弾性体１８の反発力に抗して内殻材１７が回動するようにしてある。
【０００６】
更に、上記クリーナ部材８は、上記シャフト部材１９の上面に長手方向に所要間隔で上向きに固定された各ガイド筒２１上に設けられている。各クリーナ部材８は、先端が搬送ベルト３の表面に圧接される板状のチップ２２と、チップ２２の後端部をゴム部２３を介して保持するホルダ部２４と、上記シャフト部材１９を上下方向に貫通させて各上端をホルダ部２４の底部に固定した一対の揺動軸部２５，２５と、両揺動軸部２５，２５の上端部に固着され且つガイド筒２１の外周に上下方向に摺動自在に嵌合されたガイドカバー２６と、上記各揺動軸部２５の外周に嵌装されていて、上端が上記ガイドカバー２６の上端内面に当接し且つ下端がシャフト部材１９の上面に当接するように配置してある弾性部材としての圧縮ばね２７と、からなる構成としてある。
【０００７】
上記構成としてあるので、クリーナ部材８は、圧縮ばね２７により常時チップ２２が搬送ベルト３の表面に圧接する方向に付勢されている。又、クリーナ部材８は、揺動軸部２５が支持部材７のシャフト部材１９に上下方向に貫挿されていることから、搬送ベルト３の移動方向に揺動するときには、シャフト部材１９も両端部のラバースプリング６におけるゴム弾性体１８の反発力に抗して回動でき、常時はラバースプリング６の作用により、クリーナ部材８は、搬送ベルト３に直角方向に正対するように姿勢保持されるようにしてある（特許文献１参照）。
【０００８】
上記特許文献１に記載されているベルトクリーナ装置は、取付部材５の固定基部９に対して可動基部１０を上下方向へ変位させることによりチップ２２の先端が搬送ベルト３の表面に接する圧力を適度に調節できて、運転に際しての本装置のセットが楽であること、ベルトコンベヤの運転が開始されると、搬送物を放出した後の搬送ベルト３の表面に付着した付着物をチップ２２で掻き取ることにより搬送ベルト３の表面を清掃することができること、この際、搬送ベルト３の表面に強固に付着した付着物が比較的少量の場合は、その付着物がチップ２２で掻き取られずにチップ２２の位置を通過するときに、該チップ２２がゴム部２３や圧縮ばね２７の弾力に抗して容易に後退することにより、強固な付着物によりチップ２２が受ける過度な負荷を回避することができること、搬送ベルト３の表面に強固に付着した付着物が増大して、上記ゴム部２３や圧縮ばね２７の弾力に抗してチップ２２が後退し得る限度を超えるような場合に、チップ２２が付着物によって搬送ベルト３の移動方向に押圧されるようになると、支持部材７の両端部がラバースプリング６のゴム弾性体１８を介して搬送ベルト３の搬送方向へ回動することによりチップ２２を搬送方向へ逃がすことができて、クリーナ部材８や支持部材７の破損を回避させることができること、等の多くの利点を有しているものである。
【０００９】
【特許文献１】特許第２８２９４９８号公報
【考案の開示】
【考案が解決しようとする課題】
【００１０】
ところが、上記特許文献１に記載されたベルトクリーナ装置は、支持部材７を構成するシャフト部材１９を、四角筒状として、その上面にガイド筒２１を立設し、このガイド筒２１の外周に上方からクリーナ部材８のガイドカバー２６を嵌合させて、上下方向に摺動できるようにしている構成を有しており、搬送ベルト３の表面へのクリーナ部材８のチップ２２を当接させる位置から下方のスペースが広くなっている場合には、何等の問題もなく採用できて、上述した如き種々の効果を得るものとして有効であるが、上記搬送ベルト３の表面へのクリーナ部材８のチップ２２先端を当接させる位置の下方のスペースが狹い状態にベルトコンベヤが設置されるような場合には、設置ができないことがある。
【００１１】
そこで、本考案は、上記特許文献１に記載されているベルトクリーナ装置の機能を維持しながら、ベルト幅の小さい搬送ベルトに適用でき且つ搬送ベルト表面へのチップ当接位置が低位置で下方のスペースが狹い場合でも用いることができるような背を低くした小型のベルトクリーナ装置を提供しようとするものである。
【課題を解決するための手段】
【００１２】
本考案は、上記課題を解決するために、搬送ベルトの幅方向両側に配置された取付部材と、該両取付部材に保持させた両端部を除くシャフト部材を上記搬送ベルトの幅方向に沿わせて配置した支持部材と、該支持部材のシャフト部材上に下端部のガイドカバーを介し載置させて上記搬送ベルトの幅方向に配列させ且つ各々先端に搬送ベルトの表面に当接させる板状のチップが取り付けてある複数のクリーナ部材とを備え、且つ上記チップの先端を搬送ベルト表面に常時圧接させるようにシャフト部材上でクリーナ部材に弾性部材で付勢力を与えるようにしてあるベルトクリーナ装置において、上記支持部材のシャフト部材を、上面を開放した断面形状凹状のＵ溝形状として、該シャフト部材の内側に上記クリーナ部材のガイドカバーを上下方向へ移動可能に嵌入させ、更に、上記クリーナ部材に付勢力を与える弾性部材を、上記ガイドカバーとシャフト部材内側の底面部との間に介在させてシャフト部材内に収納した構成を有するものとする。
【００１３】
又、上記構成におけるシャフト部材の内側に、複数個のクリーナ部材のガイドカバーと干渉しないように仕切板を取り付け、且つ底面部にダスト、水の排出孔を設けた構成とする。
【考案の効果】
【００１４】
本考案のベルトクリーナ装置によれば、搬送ベルトの幅方向両側に配置された取付部材と、該両取付部材に保持させた両端部を除くシャフト部材を上記搬送ベルトの幅方向に沿わせて配置した支持部材と、該支持部材のシャフト部材上に下端部のガイドカバーを介し載置させて上記搬送ベルトの幅方向に配列させ且つ各々先端に搬送ベルトの表面に当接させる板状のチップが取り付けてある複数のクリーナ部材とを備え、且つ上記チップの先端を搬送ベルト表面に常時圧接させるようにシャフト部材上でクリーナ部材に弾性部材で付勢力を与えるようにしてあるベルトクリーナ装置において、上記支持部材のシャフト部材を、上面を開放した断面形状凹状のＵ溝形状として、該シャフト部材の内側に上記クリーナ部材のガイドカバーを上下方向へ移動可能に嵌入させ、更に、上記クリーナ部材に付勢力を与える弾性部材を、上記ガイドカバーとシャフト部材内側の底面部との間に介在させてシャフト部材内に収納した構成を有するものとしてあるので、従来のベルトクリーナ装置において支持部材のシャフト部材の上面にガイド筒を立てて、該ガイド筒の上にクリーナ部材のガイドカバーを被せるように嵌合させ、更に、シャフト部材の上面とガイドカバーとの間に弾性部材を介在させるようにしてあるものに比して、シャフト部材の内側にクリーナ部材のガイドカバー及び弾性部材を収納させるようにしたことから、支持部材のシャフト部材からクリーナ部材のチップ先端までの高さ寸法を大幅に小さくすることができて、全体の高さを低くすることができ、チップを当接させる搬送ベルトの下方のスペースが狹いような場所にも容易に設置することができて、搬送ベルト表面の清掃を行わせるようにすることができる、という優れた効果を奏し得る。
【００１５】
又、シャフト部材の内側に、複数個のクリーナ部材のガイドカバーと干渉しないように仕切板を取り付け、且つ底面部にダスト、水の排出孔を設けた構成とすることにより、シャフト部材は上面が開放している構成としてあっても充分な強度を有するものとなり、更に、設置場所によってシャフト部材の内側にダスト混入や浸水することがあっても、容易に排出させることができる、等の優れた効果も奏し得る。
【考案を実施するための最良の形態】
【００１６】
以下、図面に基いて本考案を実施するための最良の形態を説明する。
【００１７】
図１乃至図３は本考案の実施の一形態を示すもので、図５及び図６に示してある如く、シャフト部材１９の上面に複数個のクリーナ部材８が配列されて取り付けてある支持部材７の両端部を、搬送ベルト３の幅方向の両側に設置した取付部材５にラバースプリング６を介して保持させ、クリーナ部材８は圧縮ばね２７により付勢されて、クリーナ部材８の先端のチップ２２が常時搬送ベルト３の表面に圧接されるようにしてあり、チップ２２に負荷がかかったときは、クリーナ部材８が圧縮ばね２７に抗して後退したり、ラバースプリング６で支持部材７とともに回動することにより回避することができるようにしてあるベルトクリーナ装置と同様な構成において、支持部材７のシャフト部材１９の上面にガイド筒２１を立てて、該ガイド筒２１上にクリーナ部材８のガイドカバー２６を被せるように嵌合させ、シャフト部材１９の上面に圧縮ばね２７を設置するようにしてある構成に代えて、シャフト部材を、内側にクリーナ部材８のガイドカバー２６及び圧縮ばね２７を収納させるような構成のシャフト部材２８として、該シャフト部材２８からチップ２２の先端までの高さ寸法を小さくするようにしたものである。
【００１８】
詳述すると、本考案の特徴をなす支持部材７のシャフト部材２８を、全長に亘ってＵ溝形状として、その内側に、複数個のクリーナ部材８の各ガイドカバー２６を図１乃至図３に示すようにそのまま上下方向へ移動できるように上方から嵌入して収納させるようにすると共に、シャフト部材１９を上下方向に貫通させた各クリーナ部材８の揺動軸部２５に沿わせる弾性部材としての圧縮ばね２７を、シャフト部材１９の内側に収納させるようにする。
【００１９】
そのために、本考案における支持部材７のシャフト部材２８は、図４（イ）（ロ）（ハ）（ニ）に示す如く、上面を開放したＵ溝形状になるように断面形状を凹状に形成して、上方からクリーナ部材８の下端部のガイドカバー２６を内側に嵌入して収納できるように、内側の幅寸法が該ガイドカバー２６の外側の幅寸法よりもやや広くなるようにしてある。又、Ｕ溝形状としても充分な強度が得られるように、両側壁の上端部を外側へ折り返して二重構造とすると共に長手方向の所要個所に、複数個配列させて支持される各クリーナ部材８の各ガイドカバー２６と干渉しないように補強板を兼ねた仕切板２９が取り付けてある。更に、本考案における支持部材７のシャフト部材２８には、底面部３０に、クリーナ部材８の支持位置に対応させて各クリーナ部材８の各２本の揺動軸部２５の下端部を上下方向に挿通させるための２つ１組の孔３１を穿設する。更に又、上記シャフト部材２８の底面部３０には、長手方向の両端部位置や上記仕切板２９の設置位置に比較的大きなダスト、水の排出孔３２を穿設すると共に、上記２つの孔３１の間の位置には、比較的小さいダスト、水の排出孔３３を穿設し、上面の開放部からダスト、水が入り込んだとしても、各排出孔３２，３３から排出できるようにしてあり、又、上記仕切板２９の下部には切欠部３４が形成してあり、仕切板２９を通してダスト、水等が往来できるようにしてある。
【００２０】
上記構成としてある本考案のベルトクリーナ装置では、シャフト部材２８の両端の軸端部材２０をラバースプリング６の内殻材１７に嵌合して取付部材５に保持させると、シャフト部材２８の内側に、図３（イ）（ロ）に示す如く、クリーナ部材８のガイドカバー２６を、該ガイドカバー２６の下端とシャフト部材２８の底面部３０との間に所要の隙間が形成されているように上方より直接嵌入させて、シャフト部材２８の内側へガイドカバー２６を収納させるようにし、上記ガイドカバー２６に上端を固定した２本の揺動軸部２５を、シャフト部材２８の底面部３０に設けた孔３１に挿通させることにより、クリーナ部材８をシャフト部材２８の長手方向に複数個配列させて組み付けるようにする。各クリーナ部材８ごとに各揺動軸部２５のガイドカバー２６の肩部とシャフト部材２８の底面部３０との間の部分に圧縮ばね２７を嵌装させ、クリーナ部材８のガイドカバー２６が圧縮ばね２７の弾力に抗してシャフト部材２８の内側を所要寸法だけ下降することができるようにしてある。３５は固定基部９に設けてある上下方向に延びる長孔、３６は調整ねじである。
【００２１】
その他の構成、すなわち、取付部材５、クリーナ部材８、ラバースプリング６の構成は、図５及び図６に示したものと同じであり、同一のものには同一符号が付してある。
【００２２】
本考案のベルトクリーナ装置は、たとえば、４００ｍｍの幅寸法という狹幅の搬送ベルト３が用いられているベルトコンベヤのベルトクリーナ装置として用いるようにする。
【００２３】
図１及び図２に示す如く、ヘッドプーリ２に掛けられている搬送ベルト３の清掃のために設置しようとするときは、図５及び図６に示したものについて説明した場合と同様に、支持部材７の両端部をラバースプリング６を介して保持させている両側の取付部材５の可動基部１０を、調整ねじ３６で上下方向へ移動させながら各クリーナ部材８の先端のチップ２２が所要の押付力で搬送ベルト３の表面に当接させられるように高さ調整を行い、所定の位置で可動基部１０を固定基部９にボルト１１とナット１２で固定して、支持部材７上の各クリーナ部材８のチップ２２が一様に搬送ベルト３の表面に圧接されているように設置する。この際、本考案のベルトクリーナ装置では、支持部材７を構成するシャフト部材２８をＵ溝形状にして、その内側にクリーナ部材８のガイドカバー２６を収納させると共に圧縮ばね２７も収納させて、該シャフト部材２８からチップ２２の先端までの高さを低くするようにしてあるので、クリーナ部材８のチップ２２を当接させようとする搬送ベルト３の表面、すなわち、ヘッドプーリ２の下方のスペースが狹いところにも、容易に設置して使用することができる。
【００２４】
図１及び図２に示すように、チップ２２の先端が搬送ベルト３の表面に押し付けられて本考案のベルトクリーナ装置が設置されると、支持部材７のシャフト部材２８の内側に収納された圧縮ばね２７による付勢力により、クリーナ部材８は搬送ベルト３の表面側へ押され、チップ２２の先端部が搬送ベルト３の表面に押し付けられている。この状態でベルトコンベヤを駆動すると、被搬送物を搬送した搬送ベルト３の表面に付着した付着物はチップ２２で順次掻き取られる。これにより搬送ベルト３の表面は清掃される。この際、搬送ベルト３の表面に付着した付着物によりチップ２２が押されると、クリーナ部材８のガイドカバー２６が、支持部材７のシャフト部材２８の内側で圧縮ばね２７に抗して下方へ移動できるので、チップ２２を一時的に後退させて過度の負荷がかかることから逃がすことができる。
【００２５】
上記の強固な付着物が増大して来て、チップ２２の一時的な後退動作ができない場合は、支持部材７がラバースプリング６を介して回動することによりチップ２２を逃がすことができる。ラバースプリング６は、ゴム弾性体１８により復元力が作用しているので、クリーナ部材８が元位置に復帰させられることは勿論である。
【００２６】
本考案における支持部材７のシャフト部材２８は、上面が開放されている構成としてあるので、使用場所によっては内側にダストや水が入ることがあるが、底面部３０にはダスト、水の排出孔３２，３３が設けてあるので、該排出孔３２，３３から容易に排出させることができて、内側に水が溜るようなことはない。又、各仕切板２９には切欠部３４が設けてあるので、仕切板２９で仕切られた区画に大量のダストや水が入っても、底面部３０の排出孔３２から排出されるばかりでなく、切欠部３４を通り隣接する区画へも流れて底面部３０の排出孔３２，３３から排出されるので、ダストや水が溜ることはない。
【００２７】
なお、本考案は上記した実施の形態に限定されるものではなく、たとえば、支持部材７のシャフト部材２８の長さや、該シャフト部材２８上に支持されるクリーナ部材８の数は、搬送ベルト３の幅寸法に合わせるようにすること、その他本考案の要旨を逸脱しない範囲内で種々変更を加え得ることは勿論である。
【図面の簡単な説明】
【００２８】
【図１】本考案のベルトクリーナ装置の実施の一形態を示す一部切断正面図である。
【図２】図１のＡ矢視部分切断側面図である。
【図３】図１に示す本考案のベルトクリーナ装置の要部を示すもので、（イ）は切断側面図、（ロ）は一部切断正面図である。
【図４】本考案のベルトクリーナ装置における支持部材を示すもので、（イ）は平面図、（ロ）は正面図、（ハ）は（ロ）のＢ矢視図、（ニ）は（ロ）のＣ矢視断面図である。
【図５】従来のベルトクリーナ装置の一部切断側面図である。
【図６】図５に示したベルトクリーナ装置の正面図である。
【符号の説明】
【００２９】
３  搬送ベルト
５  取付部材
６  ラバースプリング
７  支持部材
８  クリーナ部材
２２  チップ
２６  ガイドカバー
２７  圧縮ばね（弾性部材）
２８  シャフト部材
２９  仕切板
３０  底面部
３２，３３  排出孔
【図１】
0003102461.tif 000003
【図２】
0003102461.tif 000004
【図３】
0003102461.tif 000005
【図４】
0003102461.tif 000006
【図５】
0003102461.tif 000007
【図６】
0003102461.tif 000008